(57)【要約】【課題】ケースプレートとケースカバーとを組立てるときまたは組立てた後の少なくともいずれか一方のときに、配線を適切な場所に配置させることができる便座装置を提供する。【解決手段】便座装置は、ケースプレートと前記ケースプレートを覆うケースカバーとからなるケーシングと、前記ケースプレートに設けられた第１電気機器と、前記ケースカバーに設けられた第２電気機器と、前記第１電気機器と前記第２電気機器とを接続する配線と、を備えている。前記ケースプレートまたは前記ケースカバーには、前記配線を前記ケーシングの収納空間に収めることができる開口が設けられている。【選択図】図３
2020117871.tif 000002
【特許請求の範囲】
【請求項１】
ケースプレートと前記ケースプレートを覆うケースカバーとからなるケーシングと、
前記ケースプレートに設けられた第１電気機器と、
前記ケースカバーに設けられた第２電気機器と、
前記第１電気機器と前記第２電気機器とを接続する配線と、
を備え、
前記ケースプレートまたは前記ケースカバーには、前記配線を前記ケーシングの収納空間に収めることができる開口が設けられることを特徴とする便座装置。
【請求項２】
前記ケースカバーは、前記ケースプレートの上方を覆う上面板と、前記ケースプレートの側方を覆う側面板とを有し、
前記開口は、前記ケースカバーの前記側面板に設けられていることを特徴とする請求項１に記載の便座装置。
【請求項３】
前記配線を前記ケースカバーに固定する固定部を備え、
前記固定部は、前記開口が形成された前記側面板に片寄った位置に設けられていることを特徴とする請求項２に記載の便座装置。
【請求項４】
前記開口を塞ぐ第１カバーを備え、
前記第１カバーは、前記ケーシングの内部に水が浸入するのを抑制する水浸入抑制部を有していることを特徴とする請求項１〜３のいずれか１項に記載の便座装置。
【請求項５】
前記ケーシングには、人体の局部を洗浄する身体洗浄ユニットと、前記身体洗浄ユニットに水を供給するための供給管路と、前記供給管路に設けられた水抜栓と、を備え、
前記水抜栓は、前記開口に対応する位置に設けられていることを特徴とする請求項１〜４のいずれか１項に記載の便座装置。
【請求項６】
前記開口には、前記第１カバーを覆う第２カバーをさらに備えていることを特徴とする請求項４に記載の便座装置。
【請求項７】
前記ケーシングには、前記第１電気機器と前記第２電気機器とに電力を供給するための電源スイッチが設けられ、
前記第２カバーは、前記電源スイッチを覆うことを特徴とする請求項６に記載の便座装置。
【発明の詳細な説明】
【技術分野】
【０００１】
本発明の態様は、一般的に、便座装置に関する。
【背景技術】
【０００２】
便座装置のケーシングは、ケースプレートと、ケースプレートを覆うケースカバーとを有している。この場合、ケーシング内には、種々の電気機器が設けられている。そして、例えば便座や便蓋の電動開閉ユニットは、ケースカバー側に設けられている。このようなケースカバー側に設けられた電気機器は、電源がつながっているケースプレート側の基板と配線（ハーネス）により接続されている（特許文献１）。
【先行技術文献】
【特許文献】
【０００３】
【特許文献１】特開２０１５−２０９７３３号公報
【発明の概要】
【発明が解決しようとする課題】
【０００４】
ところで、ケースカバーとケースプレートとを組立てるときには、ケースカバー側に設けられた電気機器とケースプレート側に設けられた基板とが配線で接続された状態で行われるので、配線には余長が必要となる。ここで、近年、デザイン性向上のために、便座装置の小型化や低シルエット化が求められている。しかしながら、ケーシングを小型化・低シルエット化すると、限られたスペースに配線の余長部分を収納しなければならない。すなわち、ケーシング内には、種々の装置が収納されているので、配線の余長部分を適切な位置に配置しないと、組立ができなかったり、配線が極端に折れ曲がったりする虞があり、組立て作業の作業性が低下する可能性がある。
【０００５】
本発明は、かかる課題の認識に基づいてなされたものであり、ケースプレートとケースカバーとを組立てるときまたは組立てた後の少なくともいずれか一方のときに、配線を適切な場所に配置させることができる便座装置を提供することを目的とする。
【課題を解決するための手段】
【０００６】
第１の発明は、ケースプレートと前記ケースプレートを覆うケースカバーとからなるケーシングと、前記ケースプレートに設けられた第１電気機器と、前記ケースカバーに設けられた第２電気機器と、前記第１電気機器と前記第２電気機器とを接続する配線と、を備え、前記ケースプレートまたは前記ケースカバーには、前記配線を前記ケーシングの収納空間に収めることができる開口が設けられることを特徴とする便座装置である。
【０００７】
この便座装置によれば、ケースプレートまたはケースカバーには、配線にアプローチ可能な開口が設けられているため、ケースプレートとケースカバーを組立てるときまたは組立て後に、配線を適切な場所（収納空間）に配置させることができる。これにより、ケースプレートとケースカバーとの組立作業の作業性を向上することができるとともに、組立て後に配線の余長分を無理なく収めることができる。
【０００８】
第２の発明は、第１の発明において、前記ケースカバーは、前記ケースプレートの上方を覆う上面板と、前記ケースプレートの側方を覆う側面板とを有し、前記開口は、前記ケースカバーの前記側面板に設けられていることを特徴とする便座装置である。
【０００９】
この便座装置によれば、ケースカバーをケースプレートに組立てるときに、ケースカバーの側面板を持ちながら安定して組立作業ができるとともに、開口から指を入れて配線を収納空間に配置させることができるので、組立作業の作業性を向上することができる。
【００１０】
第３の発明は、第２の発明において、前記配線を前記ケースカバーに固定する固定部を備え、前記固定部は、前記開口が形成された前記側面板に片寄った位置に設けられていることを特徴とする便座装置である。
【００１１】
この便座装置によれば、配線の固定部が開口の近くにあるので、収納空間に収納される配線の長さを可及的に短くすることができる。
【００１２】
第４の発明は、第１〜第３のいずれか１つの発明において、前記開口を塞ぐ第１カバーを備え、前記第１カバーは、前記ケーシングの内部に水が浸入するのを抑制する水浸入抑制部を有していることを特徴とする便座装置である。
【００１３】
この便座装置によれば、開口からケーシングの内部に水が浸入してしまうことを抑制することができる。
【００１４】
第５の発明は、第１〜第４のいずれか１つの発明において、前記ケーシングには、人体の局部を洗浄する身体洗浄ユニットと、前記身体洗浄ユニットに水を供給するための供給管路と、前記供給管路に設けられた水抜栓と、を備え、前記水抜栓は、前記開口に対応する位置に設けられていることを特徴とする便座装置である。
【００１５】
この便座装置によれば、開口から水抜栓による水抜き作業を行うことができるので、水抜き用の開口をケーシングに新たに設ける必要がない。これにより、ケーシングの剛性が低減するのを抑制することができる。
【００１６】
第６の発明は、第４の発明において、前記開口には、前記第１カバーを覆う第２カバーをさらに備えていることを特徴とする便座装置である。
【００１７】
この便座装置によれば、第１カバーと第２カバーとにより、開口を覆う二重蓋構造になっているので、配線が第１カバーの内側から外側に向かって押した場合でも、第２カバーが膨らむことを抑制できるので意匠性がよい。
【００１８】
第７の発明は、第６の発明において、前記ケーシングには、前記第１電気機器と前記第２電気機器とに電力を供給するための電源スイッチが設けられ、前記第２カバーは、前記電源スイッチを覆うことを特徴とする便座装置である。
【００１９】
この便座装置によれば、第２カバーが開口と電源スイッチとをまとめて覆っているので、複数のカバーを設けた場合と比べて意匠性がよい。
【発明の効果】
【００２０】
本発明の態様によれば、ケースプレートとケースカバーとを組立てるときまたは組立てた後の少なくともいずれか一方のときに、配線を適切な場所に配置させることができる便座装置が提供される。
【図面の簡単な説明】
【００２１】
【図１】実施形態にかかる便座装置を備えたトイレ装置を表す斜視図である。
【図２】便座装置の要部構成を模式的に表すブロック図である。
【図３】図１中の便座装置から第２カバーを取外した要部拡大の側面図である。
【図４】図３中の便座装置を矢示Ａ−Ａ方向からみた断面図である。
【図５】図１中の便座装置の側面を拡大して表す斜視図である。
【図６】図５中のケースカバーから第２カバーを取外した状態を表す分解斜視図である。
【図７】図６中のケースカバーから第１カバーを取外した状態を表す分解斜視図である。
【図８】ケースプレートからケースカバーを取外した状態を模式的に表す平面図である。
【図９】ケースプレートにケースカバーを取付ける場合の初期状態を表す断面図である。
【図１０】ケースプレートにケースカバーを取付ける場合の途中状態を表す断面図である。
【図１１】ケースプレートにケースカバーを取付けた状態を表す断面図である。
【図１２】ケースプレートにケースカバーを取付けた状態を表す平面図である。
【図１３】本発明の第１変形例による便座装置を表す斜視図である。
【図１４】本発明の第２変形例による便座装置を表す斜視図である。
【発明を実施するための形態】
【００２２】
以下、本発明の実施形態について図面を参照しつつ説明する。なお、各図面中、同様の構成要素には同一の符号を付して詳細な説明は適宜省略する。  
図１は、実施形態にかかる便座装置を備えたトイレ装置を模式的に表す斜視図である。
図１に表したように、トイレ装置２は、洋式腰掛便器（以下説明の便宜上、単に「便器」と称する）４と、その上に設けられた便座装置１０と、を備える。便座装置１０は、ケーシング１２と、便座１４と、便蓋１６と、を有する。便座１４と便蓋１６とは、それぞれケーシング１２に対して開閉自在に軸支されている。
【００２３】
以下の実施形態の説明では、「上方」、「下方」、「前方」、「後方」、「右側方」、及び「左側方」を用いるが、これらの方向は、図１に表すように、便座１４に座った使用者から見た方向である。
【００２４】
ケーシング１２の内部には、便座１４に座った使用者の「おしり」などの洗浄を実現する身体洗浄ユニット２２などが内蔵されている。身体洗浄ユニット２２は、洗浄ノズル（以下説明の便宜上、単に「ノズル」と称する）２３、ノズル洗浄室５４、およびノズルモータ５８を有してる。また、ケーシング１２には、例えば使用者が便座１４に座ったことを検知する着座検知センサ２０（図２参照）が設けられている。着座検知センサ２０が便座１４に座った使用者を検知している場合において、使用者が例えばリモコンなどの操作部６を操作すると、ノズル２３を便器４のボウル内に進出させることができる。
【００２５】
ノズル２３は、人体局部に向けて水を吐出し、人体局部の洗浄を行う。ノズル２３の先端部には、ビデ洗浄吐水口およびおしり洗浄吐水口が設けられている。ノズル２３は、その先端に設けられたビデ洗浄吐水口から水を噴射して、便座１４に座った女性の女性局部を洗浄することができる。あるいは、ノズル２３は、その先端に設けられたおしり洗浄吐水口から水を噴射して、便座１４に座った使用者の「おしり」を洗浄することができる。なお、本願明細書において「水」という場合には、冷水のみならず、加熱されたお湯も含むものとする。
【００２６】
「おしり」を洗浄するモードのなかには、例えば「おしり洗浄」と、「おしり洗浄」よりもソフトな水流で優しく洗浄する「やわらか洗浄」と、が含まれる。ノズル２３は、例えば「ビデ洗浄」と、「おしり洗浄」と、「やわらか洗浄」と、を実行することができる。
【００２７】
図２は、実施形態にかかる便座装置の要部構成を模式的に表すブロック図である。図２では、水路系と電気系の要部構成を併せて表している。  
図２に表したように、便座装置１０は、導水部３０を有する。導水部３０は、水道や貯水タンクなどの給水源ＷＳからノズル２３に至る供給管路３０ａを有する。導水部３０は、供給管路３０ａにより、給水源ＷＳから供給された水をノズル２３に導く。供給管路３０ａは、例えばバルブユニット３１、熱交換器ユニット４０、流路切替部５２などの各部と、これらの各部を接続する複数の配管とによって形成される。
【００２８】
導水部３０の上流側には、バルブユニット３１が設けられている。このバルブユニット３１は、例えば供給管路３０ａへの水の供給を制御する電磁弁、供給管路３０ａ内の圧力を所定の圧力範囲に調整する調圧弁、供給管路３０ａの逆流を防止する逆止弁等を有している。電磁弁は、第１電気機器２４からの指令により供給管路３０ａを開状態にすることで、給水源ＷＳから供給された水を供給管路３０ａに流出させる。
【００２９】
また、バルブユニット３１には、水抜栓３２が設けられている。この水抜栓３２は、供給管路３０ａ内の水を外部に抜くためのものである。水抜栓３２は、供給管路３０ａに設けられ、例えばケーシング１２をメンテナンスする場合や供給管路３０ａ内で水が凍結するのを防止するときに操作される。そのために、水抜栓３２は、ケースカバー１２２の開口１２８に対応した位置に設けられている。具体的には、図３、図７に示すように、水抜栓３２は、その水抜開口３２ａがケースカバー１２２の開口１２８側に向けた状態で配設されている。
【００３０】
バルブユニット３１の下流には、熱交換器ユニット４０（加熱部）が設けられている。熱交換器ユニット４０は、ヒータを有し、給水源ＷＳから供給された水を加熱して規定の温度まで昇温する。すなわち、熱交換器ユニット４０は、温水を生成する。
【００３１】
熱交換器ユニット４０は、例えばセラミックヒータなどを用いた瞬間加熱式（瞬間式）の熱交換器である。瞬間加熱式の熱交換器は、貯湯タンクを用いた貯湯加熱式の熱交換器と比較すると、短い時間で水を規定の温度まで昇温させることができる。なお、熱交換器ユニット４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００３２】
熱交換器ユニット４０は、第１電気機器２４と接続されている。第１電気機器２４は、例えば、使用者による操作部６の操作に応じて熱交換器ユニット４０を制御することにより、操作部６で設定された温度に水を昇温する。
【００３３】
熱交換器ユニット４０の下流には、流量センサ４２が設けられている。流量センサ４２は、熱交換器ユニット４０から吐出された水の流量を検知する。すなわち、流量センサ４２は、供給管路３０ａ内を流れる水の流量を検知する。流量センサ４２は、第１電気機器２４に接続されている。流量センサ４２は、流量の検知結果を出力して第１電気機器２４に入力させる。
【００３４】
流量センサ４２の下流には、電解槽ユニット４４が設けられている。電解槽ユニット４４は、内部を流れる水道水を電気分解することにより、水道水から次亜塩素酸を含む液（機能水）を生成する。電解槽ユニット４４は、第１電気機器２４に接続されている。電解槽ユニット４４は、第１電気機器２４による制御に基づいて、機能水の生成を行う。
【００３５】
電解槽ユニット４４において生成される機能水は、例えば銀イオンや銅イオンなどの金属イオンを含む溶液であってもよい。あるいは、電解槽ユニット４４において生成される機能水は、電解塩素やオゾンなどを含む溶液であってもよい。また、電解槽ユニット４４において生成される機能水は、酸性水やアルカリ水であってもよい。
【００３６】
電解槽ユニット４４の下流には、バキュームブレーカ（ＶＢ）４６が設けられている。バキュームブレーカ４６は、例えば水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４６は、導水部３０に水の流れが無いときに、供給管路３０ａ内に空気を取り込む。弁機構には、例えばフロート弁が用いられる。
【００３７】
バキュームブレーカ４６は、上記のように供給管路３０ａ内に空気を取り込むことにより、例えば供給管路３０ａのバキュームブレーカ４６よりも下流の部分の水抜きを促進させる。バキュームブレーカ４６は、ノズル２３の水抜きを促進する。
【００３８】
バキュームブレーカ４６の下流には、圧力変調装置４８が設けられている。圧力変調装置４８は、導水部３０の供給管路３０ａ内の水の流れに脈動または加速を与え、ノズル２３のビデ洗浄吐水口およびおしり洗浄吐水口やノズル洗浄室５４の吐水部から吐水される水に脈動を与える。すなわち、圧力変調装置４８は、供給管路３０ａ内を流れる水の流動状態を変動させる。圧力変調装置４８は、第１電気機器２４に接続されている。圧力変調装置４８は、第１電気機器２４による制御に基づいて、水の流動状態を変動させる。
【００３９】
圧力変調装置４８の下流には、流量調整部５０が設けられている。流量調整部５０は、水勢（流量）の調整を行う。流量調整部５０の下流には、流路切替部５２が設けられている。流路切替部５２は、ノズル２３やノズル洗浄室５４への給水の開閉や切替を行う。流量調整部５０および流路切替部５２は、１つのユニットとして設けてもよい。流量調整部５０および流路切替部５２は、第１電気機器２４に接続されている。流量調整部５０および流路切替部５２の動作は、第１電気機器２４によって制御される。この場合、第１電気機器２４は、例えばマイクロコンピュータ等の制御部となっている。なお、流量調整部５０および流路切替部５２は一体であってもよい。
【００４０】
流路切替部５２の下流には、ノズル２３、ノズル洗浄室５４、および噴霧ノズル５６が設けられている。ノズル２３は、ノズルモータ５８からの駆動力を受け、便器４のボウル内に進出したり後退したりする。つまり、ノズルモータ５８は、第１電気機器２４からの指令に基づいてノズル２３を進退させる。
【００４１】
ノズル洗浄室５４は、その内部に設けられた吐水部から機能水あるいは水を噴射することにより、ノズル２３の外周表面（胴体）を洗浄する。噴霧ノズル５６は、洗浄水や機能水をミスト状にしてボウルに噴霧する。この例では、人体を洗浄するためのノズル２３とは別に噴霧ノズル５６を設けている。これに限ることなく、ミスト状の液体をボウルに噴霧するための吐水口をノズル２３に設けてもよい。
【００４２】
第１電気機器２４は、ケーシング１２のケースプレート１２１に設けられている。この第１電気機器２４は、ケーシング１２の内部に配設された各電気機器と接続され、各電気機器の作動を制御する制御部となっている。すなわち、第１電気機器２４は、人体検知センサ２１、着座検知センサ２０、および操作部６などからの信号に基づいて、バルブユニット３１、熱交換器ユニット４０、流量センサ４２、電解槽ユニット４４、圧力変調装置４８、流量調整部５０、流路切替部５２、ノズルモータ５８、および第２電気機器６０などの動作を制御する。
【００４３】
電源回路２７は、電源スイッチ２８、端子２９を介して外部電源（例えば、ＡＣ１００Ｖ電源）に接続され、外部電源から供給された交流（ＡＣ）の電力を直流（ＤＣ）の電力に変換する。電源回路２７は、直流に変換した電力を、第１電気機器２４に供給する。例えば、バルブユニット３１、流量センサ４２、電解槽ユニット４４、圧力変調装置４８、流量調整部５０、流路切替部５２、およびノズルモータ５８には、第１電気機器２４を介して直流の電力が供給される。一方、熱交換器ユニット４０には、電源回路２７を介して交流の電力が供給される。電源回路２７と端子２９との間には、電源回路２７への電力を通電、切断する電源スイッチ２８が設けられている。すなわち、電源スイッチ２８は、第１電気機器２４と第２電気機器６０とに電力を供給するために操作されるものである。
【００４４】
人体検知センサ２１は、ケーシング１２内に設けられ、便座１４に近づいた使用者（人体）を検知する。人体検知センサ２１は、便蓋１６を閉じた状態においても、使用者の存在を検知することができるように構成されている。第１電気機器２４は、例えば人体検知センサ２１による使用者の検知に応答して、第２電気機器６０に指令を出力する。これにより、便蓋１６は、自動的に開かれる。
【００４５】
第２電気機器６０は、ケーシング１２のケースカバー１２２に設けられている。この第２電気機器６０は、例えば便座１４および便蓋１６を電気的に開閉する電動開閉ユニットとして構成されている。第２電気機器６０は、基板６１、便座用モータ６２、便座用伝達機構６３、便蓋用モータ６４、便蓋用伝達機構６５等を有している。
【００４６】
基板６１は、配線８０を介して第１電気機器２４に接続されている。便座用モータ６２は、基板６１に接続され、第１電気機器２４からの指令により駆動する。便座用伝達機構６３は、一端が便座用モータ６２に接続され、他端が便座１４に接続されている。これにより、便座１４は、第１電気機器２４からの指令により開閉される。
【００４７】
また、便蓋用モータ６４は、基板６１に接続され、第１電気機器２４からの指令により駆動する。便蓋用伝達機構６５は、一端が便蓋用モータ６４に接続され、他端が便蓋１６に接続されている。これにより、便蓋１６は、第１電気機器２４からの指令により開閉される。
【００４８】
また、ケーシング１２には、「脱臭ユニット」、「室内暖房ユニット」、「温風ユニット」などの各種の機構が適宜設けられていてもよい。この際、ケーシング１２の側面板には、脱臭ユニットからの排気口及び室内暖房ユニットからの排出口が適宜設けられる。ただし、便座装置１０は、少なくとも身体洗浄ユニット２２を有していればよい。
【００４９】
図３は、図１中の便座装置から第２カバーを取外した要部拡大の側面図である。
図４は、図３中の便座装置を矢示Ａ−Ａ方向からみた断面図である。
図５は、図１中の便座装置の側面を拡大して表す斜視図である。
図６は、図５中のケースカバーから第２カバーを取外した状態を表す分解斜視図である。
図７は、図６中のケースカバーから第１カバーを取外した状態を表す分解斜視図である。
【００５０】
ケーシング１２は、ケーシング１２の底部を構成するケースプレート１２１と、ケースプレート１２１を覆うケースカバー１２２とを有している。ケースプレート１２１には、第１電気機器２４、身体洗浄ユニット２２、噴霧ノズル５６、導水部３０が設けられている。
【００５１】
ケースカバー１２２は、ケースプレート１２１の上方および側方を覆っている。このために、ケースカバー１２２は、ケースプレート１２１の上方を覆う上面板１２３と、ケースプレート１２１の側方を覆う側面板１２４とを有している。また、ケースカバー１２２の側面板１２４は、ケースプレート１２１の左側方を覆う左側面板１２４ａ、ケースプレート１２１の右側方を覆う右側面板１２４ｂ、およびケースプレート１２１の後側方を覆う後側面板１２４ｃを有している。
【００５２】
上面板１２３の後端側には、左右両側に便蓋１６が取付けられる便蓋取付部１２５が設けられている。また、上面板１２３には、便蓋取付部１２５よりも前側に便座１４を取付けるための便座取付部１２６が設けられている。そして、図８に示すように、上面板１２３の裏面１２３ａには、左側面板１２４ａ側の便蓋取付部１２５と便座取付部１２６とに対応する位置に第２電気機器６０が設けられている。第２電気機器６０の基板６１からは、右側面板１２４ｂに向けて配線８０が延びている。この配線８０は、右側面板１２４ｂ側で固定部７０によりケースカバー１２２の裏面１２３ａに固定されている。これにより、配線８０は、上面板１２３の裏面１２３ａから垂れ下がるのが抑制されている。
【００５３】
固定部７０は、開口１２８が形成された右側面板１２４ｂ側に片寄った位置に設けられている。この場合、図８に示すように、配線８０は、ケースカバー１２２をケースプレート１２１に組付ける前に、配線８０を第１電気機器２４に接続させるので、固定部７０から第１電気機器２４まで延びる部分が余長部分８０ａとなる。そして、この余長部分８０ａは、ケースカバー１２２をケースプレート１２１に組付けるときに、重なったり、ケースプレート１２１に設けられた他の部材に干渉したりして組付作業時に邪魔になる。また、配線８０の余長部分８０ａが他の部材に噛み込まれたり、過度な荷重がかかったりすることによって、配線８０が断線してしまう虞もある。そこで、ケースカバー１２２には、配線８０の余長部分８０ａを収納可能な収納空間１２７が設けられている。
【００５４】
収納空間１２７は、便蓋取付部１２５と便座取付部１２６との間に設けられている。この収納空間１２７は、ケースカバー１２２の上面板１２３と右側面板１２４ｂとの角部に形成されたデッドスペースで、このデッドスペースに配線８０の余長部分８０ａを収納している。すなわち、収納空間１２７は、ケーシング１２の内部の種々の機器の配置関係と、ケーシング１２の意匠性を考慮することにより形成されたデッドスペースで、このデッドスペースを配線８０の余長部分８０ａが収納される部分として有効利用している。
【００５５】
図３〜図７に示すように、ケースカバー１２２の右側面板１２４ｂには、開口１２８が形成されている。開口１２８は、便蓋取付部１２５と便座取付部１２６との間に位置して、収納空間１２７の下方に設けられている。すなわち、開口１２８は、上面板１２３から寸法Ｈだけ下がった右側面板１２４ｂに形成されている。
【００５６】
この開口１２８は、例えばケースカバー１２２をケースプレート１２１に組付けるときに、作業者が指を入れて配線８０の余長部分８０ａを収納空間１２７に収めるために形成されている。そのために、開口１２８は、作業者の指が入る寸法で、かつケースカバー１２２の剛性が低下しない大きさに形成されている。好ましくは、作業者の指が２、３本入るような大きさに形成されている。これにより、作業者が親指を上面板１２３にかけて、その他の２、３本の指を開口１２８に入れることができるので、ケースカバー１２２を持ちながら、配線８０の余長部分８０ａを収納空間１２７に収めることができる。ケースカバー１２２をケースプレート１２１に組付ける作業については、後述する。
【００５７】
また、固定部７０は、開口１２８が形成されている右側面板１２４ｂに片寄った（近い）位置に設けられている。これにより、固定部７０から第１電気機器２４まで延びる配線８０の余長部分８０ａを可及的に短くすることができるので、効率よく配線８０の余長部分８０ａを収納空間１２７に収めることができる。
【００５８】
また、開口１２８は、ケースカバー１２２をケースプレート１２１に組付けた後にはケーシング１２内に配設された供給管路３０ａの水を抜くときに使用される。従って、ケースカバー１２２をケースプレート１２１に組付けた後には、水抜栓３２の水抜開口３２ａが開口１２８側に向いている。
【００５９】
電源用開口１２９は、開口１２８の後方で便蓋取付部１２５の下方に設けられている。この電源用開口１２９は、ケースカバー１２２に設けられた電源スイッチ２８に対応する位置に形成されている。便座装置１０は、電源用開口１２９から電源スイッチ２８のオン、オフを行うことができる。
【００６０】
第１カバー９０は、開口１２８を塞いでいる。この第１カバー９０は、平板部９０ａと、平板部９０ａに形成された水抜開口９０ｂと、平板部９０ａの下端に設けられたスナップフィット部９０ｃと、平板部９０ａから上方に向けて突出した突出部９０ｄとを有している。水抜開口９０ｂは、水抜栓３２に対応する位置に形成されている。これにより、第１カバー９０を取外さなくても、水抜栓３２から供給管路３０ａ内の水を抜くことができるようになっている。
【００６１】
第１カバー９０は、突出部９０ｄを開口１２８の上端に差し込み、スナップフィット部９０ｃを開口１２８の下端に係合することにより、開口１２８に取付けられる。この場合、第１カバー９０は、ケーシング１２の内部に水が浸入するのを抑制する水浸入抑制部９０ｅを有している。図４に示すように、水浸入抑制部９０ｅは、第１カバー９０の縁部に形成され、開口１２８との間でラビリンス構造をなしている。
【００６２】
第２カバー９１は、ケースカバー１２２の右側面板１２４ｂに取付けられ、第１カバー９０の外側を覆っている。すなわち、開口１２８は、内カバーとしての第１カバー９０と、外カバーとしての第２カバー９１とにより、二重蓋構造で覆われている。第２カバー９１は、第１カバー９０よりも大きく形成され、電源スイッチ２８（電源用開口１２９）をも覆っている。これにより、作業者は、第２カバー９１を取外すことで、電源スイッチ２８のオン、オフ操作を行うことができるとともに、第１カバー９０の水抜開口９０ｂから水抜栓３２を操作して、供給管路３０ａの水を抜くことができる。図５、図６に示すように、第２カバー９１は、右側面板１２４ｂと同一平面となるように、ケースカバー１２２に取付けられている。すなわち、第２カバー９１は、ケースカバー１２２の右側面板１２４ｂの見栄えを向上する化粧カバーとなっている。
【００６３】
本実施形態による便座装置１０は、上述の如き構成を有するもので、次に図８〜図１２に基づき、ケースカバー１２２をケースプレート１２１に組付ける場合について説明する。なお、図８〜図１２では、説明の便宜上、ケースプレート１２１に設けられた第１電気機器２４と、ケースカバー１２２に設けられた第２電気機器６０と、第１電気機器２４と第２電気機器６０とを接続する配線８０とを示し、ケーシング１２内に設けられたそれ以外の機器については省略している。
【００６４】
図８は、ケースプレートからケースカバーを取外した状態を模式的に表す平面図である。
図９は、ケースプレートにケースカバーを取付ける場合の初期状態を表す断面図である。
図１０は、ケースプレートにケースカバーを取付ける場合の途中状態を表す断面図である。
図１１は、ケースプレートにケースカバーを取付けた状態を表す断面図である。
図１２は、ケースプレートにケースカバーを取付けた状態を表す平面図である。
【００６５】
まず、図８に示すように、ケースカバー１２２に第２電気機器６０を取付け、ケースプレート１２１に第１電気機器２４を取付ける。そして、この状態で第１電気機器２４と第２電気機器６０とを配線８０で接続する。このように、ケースカバー１２２をケースプレート１２１から開いた状態で配線８０を接続するので、配線８０には余長部分８０ａが必要になる。
【００６６】
次に、図９に示すように、ケースカバー１２２の左側面板１２４ａをケースプレート１２１に係合させる。そして、ケースカバー１２２の右側面板１２４ｂをケースプレート１２１の上方から嵌め込む。この場合、配線８０の余長部分８０ａがケースカバー１２２とケースプレート１２１との間に位置してケースカバー１２２を閉めるのに邪魔になる。
【００６７】
そこで、図１０に示すように、配線８０の余長部分８０ａをケースカバー１２２の開口１２８から引き出す。そして、開口１２８から配線８０の余長部分８０ａを収納空間１２７に収納させながら、ケースカバー１２２をケースプレート１２１に組付けることができる。この場合、作業者は、例えば右手の親指をケースカバー１２２の上面板１２３にかけて人差指と中指とを開口１２８に差込み、配線８０の余長部分８０ａを収納空間１２７に保持させながらケースカバー１２２を持つことができる。
【００６８】
また、配線８０は、開口１２８の近傍で固定部７０により上面板１２３に保持されているので、収納空間１２７に押さえる配線８０の余長部分８０ａを可及的に短くすることができる。これにより、ケースプレート１２１とケースカバー１２２との組付作業を効率よく行うことができる。そして、図１１、図１２に示すように、配線８０の余長部分８０ａをケーシング１２内のデッドスペースとなっている収納空間１２７に安定して収納させることができる。
【００６９】
かくして、本実施形態による便座装置１０によれば、ケースカバー１２２には、配線８０にアプローチ可能な開口１２８が設けられているため、ケースプレート１２１とケースカバー１２２とを組立てるときまたは組立て後の少なくともいずれか一方のときに、配線８０を適切な場所である収納空間１２７に配置させることができる。これにより、ケースプレート１２１とケースカバー１２２との組立作業の作業性を向上することができるとともに、組立て後に配線８０の余長部分８０ａを無理なく収めることができる。
【００７０】
また、開口１２８は、収納空間１２７の下方に設けられているので、作業者は開口１２８から指を入れて配線８０を簡単に収納空間１２７に配置させることができる。さらに、ケースカバー１２２をケースプレート１２１に組立てるときに、ケースカバー１２２の側面板１２４を持ちながら安定して組立作業ができるとともに、開口１２８から指を入れて配線８０を収納空間１２７に配置させることができるので、組立作業の作業性を向上することができる。また、配線８０の固定部７０が開口１２８の近くにあるので、収納空間１２７に収納される配線８０の長さを可及的に短くすることができる。
【００７１】
そして、開口１２８は、第１カバー９０と第２カバー９１とにより覆われている。この場合、第１カバー９０は、開口１２８との間に水浸入抑制部を有している。これにより、例えばケーシング１２を掃除しているときに、開口１２８からケーシング１２の内部に水が浸入することを抑制することができる。また、開口１２８に対応する位置には、身体洗浄ユニット２２に水を供給するための供給管路３０ａに設けられた水抜栓３２が設けられている。
【００７２】
そして、第１カバー９０には、水抜栓３２に対応する位置に水抜開口９０ｂが形成されている。これにより、開口１２８から水抜栓３２による水抜き作業を行うことができるので、水抜き用の開口をケーシング１２に新たに設ける必要がない。これにより、ケーシング１２の剛性が低減するのを抑制することができる。また、第２カバー９１を取外すだけで水抜き作業ができるので、水抜き作業の作業性を向上することができる。
【００７３】
さらに、第１カバー９０と第２カバー９１とにより開口１２８を覆う二重蓋構造になっているので、配線８０が第１カバー９０の内側から外側に向かって押した場合でも、第２カバー９１が膨らむことを抑制できるので意匠性がよい。また、第２カバー９１が開口１２８と電源スイッチ２８とをまとめて覆っているので、複数のカバーを設けた場合と比べて意匠性がよい。
【００７４】
図１３は、本発明の第１変形例による便座装置を表す斜視図である。
上述した実施形態では、ケースカバー１２２の右側面板１２４ｂに開口１２８を設けた場合を例に挙げて説明した。しかし、本発明はこれに限らず、例えば図１３に示す第１変形例のように、ケースカバー１２２の後側面板１２４ｃに配線８０を収納空間に収めることができる開口１３０を設けてもよい。この場合、収納空間は、開口１３０の周囲および開口１３１の前方に位置していることが望ましい。
【００７５】
図１４は、本発明の第２変形例による便座装置を表す斜視図である。
図１４に示す第２変形例のように、ケースカバー１２２の上面板１２３に配線８０を収納空間に収めることができる開口１３１を設けてもよい。この場合、収納空間は、開口１３１の周囲および開口１３１の下方に位置していることが望ましい。また、開口をケースカバー１２２の左側面板１２４ａに設けてもよい。
【００７６】
また、上述した実施形態では、開口１２８の上方に収納空間１２７を設けた場合を例に挙げて説明した。しかし、本発明はこれに限らず、例えば開口１２８の周囲や開口１２８に対向して収納空間を設けてもよい。
【００７７】
また、上述した実施形態では、開口１２８から指により配線８０の余長部分８０ａを収納空間１２７に収めた場合を例に挙げて説明した。しかし、本発明はこれに限らず、例えば指の届かない位置に収納空間を設け、工具等を用いて配線の余長部分を収納空間に収納してもよい。このことは、第１、第２変形例についても同様である。
【００７８】
また、上述した実施形態では、ケースプレート１２１に設けられた第１電気機器２４が制御部であり、ケースカバー１２２に設けられた第２電気機器６０が便座１４、便蓋１６の電動開閉ユニットであり、配線８０が制御部と電動開閉ユニットとを接続した場合を例に挙げて説明した。しかし、本発明はこれに限らず、例えば第１電気機器がケースプレート１２１に設けられた基板で、第２電気機器がケースカバー１２２に設けられた便座１４を暖めるヒータの基板やリモコン受光基板、人体検知センサ、着座検知センサ等、配線８０はケースプレート１２１とケースカバー１２２との間を延びるものであればよい。このことは第１、第２変形例についても同様である。
【００７９】
また、上述した実施形態では、ケースカバー１２２に開口１２８を設けた場合を例に挙げて説明した。しかし、本発明は、これに限らず、例えばケースプレートをボックス状に形成して、ケースプレートの側面板に開口を設けてもよい。
【００８０】
また、上述した実施形態では、開口１２８を水抜き用の開口と兼用した場合を例に挙げて説明した。しかし、本発明はこれに限らず、例えば開口１２８を停電したとき用の乾電池を収納する部分の開口と兼用したり、水垢を除去するスケール除去剤の投入口と兼用したりしてもよい。このことは、第１、第２変形例についても同様である。
【００８１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便座装置１０などが備える各要素の形状、寸法、材質、配置、設置形態などは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００８２】
２ トイレ装置、４ 便器、６ 操作部、１０ 便座装置、１２ ケーシング、１４ 便座、１６ 便蓋、２０ 着座検知センサ、２１ 人体検知センサ、２２ 身体洗浄ユニット、２３ ノズル、２４ 第１電気機器、２７ 電源回路、２８ 電源スイッチ、２９ 端子、３０ 導水部、３０ａ 供給管路、３１ バルブユニット、３２ 水抜栓、３２ａ 水抜開口、４０ 熱交換器ユニット、４２ 流量センサ、４４ 電解槽ユニット、４６ バキュームブレーカ、４８ 圧力変調装置、５０ 流量調整部、５２ 流路切替部、５４ ノズル洗浄室、５６ 噴霧ノズル、５８ ノズルモータ、６０ 第２電気機器、６１ 基板、６２ 便座用モータ、６３ 便座用伝達機構、６４ 便蓋用モータ、６５ 便蓋用伝達機構、７０ 固定部、８０ 配線、８０ａ 余長部分、９０ 第１カバー、９０ａ 平板部、９０ｂ 水抜開口、９０ｃ スナップフィット部、９０ｄ 突出部、９０ｅ 水浸入抑制部、９１ 第２カバー、１２１ ケースプレート、１２２ ケースカバー、１２３ 上面板、１２３ａ 裏面、１２４ 側面板、１２４ａ 左側面板、１２４ｂ 右側面板、１２４ｃ 後側面板、１２５ 便蓋取付部、１２６ 便座取付部、１２７ 収納空間、１２８ 開口、１２９ 電源用開口、１３０ 開口、１３１ 開口、ＷＳ 給水源
【図１】
2020117871.tif 000003
【図２】
2020117871.tif 000004
【図３】
2020117871.tif 000005
【図４】
2020117871.tif 000006
【図５】
2020117871.tif 000007
【図６】
2020117871.tif 000008
【図７】
2020117871.tif 000009
【図８】
2020117871.tif 000010
【図９】
2020117871.tif 000011
【図１０】
2020117871.tif 000012
【図１１】
2020117871.tif 000013
【図１２】
2020117871.tif 000014
【図１３】
2020117871.tif 000015
【図１４】
2020117871.tif 000016